(57)【要約】【課題】内側ケーシングの下部において動翼先端部と内側ケーシングの内壁面との下部クリアランスを適した状態で確保する。【解決手段】動翼５が固定されて水平方向に延在して回転可能に配置されたロータ２と、ロータ２の動翼５の周りを囲む内側ケーシング３と、内側ケーシング３の周りを囲む外側ケーシング４と、を有する蒸気タービン１において、ロータ２の回転軸Ｒを通過する水平面Ｈよりも上方の位置で外側ケーシング４側において上方に向けて形成された支持面２１Ａを有する支持台２１と、内側ケーシング３側に設けられて支持台２１の支持面２１Ａに載置された形態で内側ケーシング３を外側ケーシング４に支持させる支持サポート２２と、を備える。【選択図】図２
2018159301.tif 000002
【特許請求の範囲】
【請求項１】
動翼が固定されて水平方向に延在して回転可能に配置されたロータと、前記ロータの動翼の周りを囲む内側ケーシングと、前記内側ケーシングの周りを囲む外側ケーシングと、を有する回転機械において、
前記ロータの回転軸を通過する水平面よりも上方の位置で前記外側ケーシング側において上方に向けて形成された支持面を有する支持台と、
前記内側ケーシング側に設けられて前記支持台の前記支持面に載置された形態で前記内側ケーシングを前記外側ケーシングに支持させる支持サポートと、
を備える回転機械。
【請求項２】
前記支持台は、上下で半分に分割形成された前記外側ケーシングの下半部に設けられており、前記支持サポートは、上下で半分に分割形成された前記内側ケーシングの下半部に設けられている請求項１に記載の回転機械。
【請求項３】
前記支持台は、前記外側ケーシングに対して別部材で形成されており、前記支持サポートは、前記内側ケーシングに対して別部材で形成されている請求項１または２に記載の回転機械。
【請求項４】
前記外側ケーシングは、上下で半分に分割形成された上半部および下半部において外側に延在する各フランジを介して分割された上下が接合されており、前記支持台の前記支持面は、前記水平面よりも上方の位置であって前記外側ケーシングの上半部のフランジの上端以下の位置までの範囲に設置されている請求項１〜３のいずれか１つに記載の回転機械。
【請求項５】
前記ロータの延在方向の一方側にて前記外側ケーシングに対して前記内側ケーシングを前記ロータが延在する軸方向への移動を規制する軸方向規制部と、前記ロータの延在方向の他方側にて前記外側ケーシングに対して前記内側ケーシングを前記ロータが回転する周方向への移動を規制する周方向規制部と、が設けられており、
前記支持台および当該支持台に載置される支持サポートが、前記ロータの延在方向の一方側と他方側にそれぞれ配置され、前記ロータの延在方向の他方側の前記支持台の前記支持面が前記水平面に対して前記軸方向に向けて傾斜して形成されている請求項１〜４のいずれか１つに記載の回転機械。
【発明の詳細な説明】
【技術分野】
【０００１】
本発明は、水平方向に延在して回転可能に配置されたロータと、ロータを囲む内側ケーシングと、内側ケーシングを囲む外側ケーシングとを有する回転機械に関する。
【背景技術】
【０００２】
例えば、特許文献１には、蒸気タービンのダイアフラム下半部の外周部にダイアフラム支持バーを固定し、このダイアフラム支持バーを下側シェルにおける上側シェルと接合する分割線上の水平縁部に設置することで、ダイアフラム下半部をシェルに支持する構造について示されている。
【先行技術文献】
【特許文献】
【０００３】
【特許文献１】特開２００２−１１５５０２号公報
【発明の概要】
【発明が解決しようとする課題】
【０００４】
蒸気タービンにおいては、動翼が固定されたロータと、ロータの動翼を囲むように設けられて静翼が固定された内側ケーシング（内車ともいう）と、内側ケーシングの外側を囲むように設けられて内側ケーシングを支持する外側ケーシング（外車ともいう）とを有している。ロータは、両端側に設けられた軸受により回転可能に設けられて当該軸受がコンクリート製のタービンフロアに支持されている。外側ケーシングは、上半部と下半部とに分割されて下半部がロータとは別にタービンフロアに支持されている。内側ケーシングは、上半部と下半部とに分割されて下半部が外側ケーシングの下半部に載置されて支持されている。
【０００５】
蒸気タービンの起動にあっては、内側ケーリングの内部に高温高圧の蒸気が供給され、静翼と動翼とをロータが延在する軸方向に通過することで動翼を介してロータが回転する。
【０００６】
ここで、蒸気タービンの起動開始時にあっては、内側ケーリングの内部に高温高圧の蒸気が供給され内側ケーシングの温度が外側ケーシングよりも先に上昇する場合には、外側ケーシングとの熱伸び差により内側ケーシングが外側ケーシングと相対的に上下方向に移動することになる。
【０００７】
蒸気タービンなどロータを水平方向に延在して配置する回転機械においては、上述したように、内側ケーシングが外側ケーシングと相対的に上下方向に移動すると、ロータの動翼先端部と内側ケーシングの内壁面とのクリアランスが変化する。そして、クリアランスが狭くなる側では、動翼先端部と内側ケーシングとが接触するおそれがある。一方、クリアランスが広くなる側では、蒸気が動翼先端側で漏れてタービン効率が低下するおそれがある。
【０００８】
本発明の課題は、特に、内側ケーシングの下半部において内側ケーシングの内壁面と動翼先端部との下部クリアランスが狭くなり易い場合に顕著である。このような場合において、下部クリアランスを起動開始時に合わせて広くしてしまうと、起動後の定格運転において内側ケーシングと外側ケーシングとの温度差が小さくなったときに、内側ケーシングと外側ケーシングとの上下の相対位置がもとに戻って下部クリアランスが広すぎてしまい、蒸気が動翼先端側で漏れてタービン効率が低下する問題が生じてしまう。
【０００９】
本発明は上述した課題を解決するものであり、起動開始時において内側ケーシングと動翼とのクリアランスを適した状態で確保することのできる回転機械を提供することを目的とする。
【課題を解決するための手段】
【００１０】
上述の目的を達成するために、本発明の一態様に係る回転機械は、動翼が固定されて水平方向に延在して回転可能に配置されたロータと、前記ロータの動翼の周りを囲む内側ケーシングと、前記内側ケーシングの周りを囲む外側ケーシングと、を有する回転機械において、前記ロータの回転軸を通過する水平面よりも上方の位置で前記外側ケーシング側において上方に向けて形成された支持面を有する支持台と、前記内側ケーシング側に設けられて前記支持台の前記支持面に載置された形態で前記内側ケーシングを前記外側ケーシングに支持させる支持サポートと、を備える。
【００１１】
また、本発明の一態様に係る回転機械では、前記支持台は、上下で半分に分割形成された前記外側ケーシングの下半部に設けられており、前記支持サポートは、上下で半分に分割形成された前記内側ケーシングの下半部に設けられていることが好ましい。
【００１２】
また、本発明の一態様に係る回転機械では、前記支持台は、前記外側ケーシングに対して別部材で形成されており、前記支持サポートは、前記内側ケーシングに対して別部材で形成されていることが好ましい。
【００１３】
また、本発明の一態様に係る回転機械では、前記外側ケーシングは、上下で半分に分割形成された上半部および下半部において外側に延在する各フランジを介して分割された上下が接合されており、前記支持台の前記支持面は、前記水平面よりも上方の位置であって前記外側ケーシングの上半部のフランジの上端以下の位置までの範囲に設置されていることが好ましい。
【００１４】
また、本発明の一態様に係る回転機械では、前記ロータの延在方向の一方側にて前記外側ケーシングに対して前記内側ケーシングを前記ロータが延在する軸方向への移動を規制する軸方向規制部と、前記ロータの延在方向の他方側にて前記外側ケーシングに対して前記内側ケーシングを前記ロータが回転する周方向への移動を規制する周方向規制部と、が設けられており、前記支持台および当該支持台に載置される支持サポートが、前記ロータの延在方向の一方側と他方側にそれぞれ配置され、前記ロータの延在方向の他方側の前記支持台の前記支持面が前記水平面に対して前記軸方向に向けて傾斜して形成されていることが好ましい。
【発明の効果】
【００１５】
本発明によれば、起動開始時に内側ケーシングと外側ケーシングとの熱伸び差により支持サポートが鉛直方向に熱伸びすると、支持サポートは、支持台の支持面を基点として鉛直方向の下方に熱伸びすることから、内側ケーシングは、外側ケーシングに対して相対的に鉛直方向の下方に移動する。一方、支持台の支持面は、水平面であって、ロータの回転軸よりも鉛直方向の上方の位置にあることから、内側ケーシングは、水平面よりも鉛直方向の上方の位置で支持され、このため水平面よりも鉛直方向の上方の位置で支持されている分の移動代が大きく、外側ケーシングに対して相対的に鉛直方向の下方に移動する移動量が少なく抑制される。このため、内側ケーシングの鉛直方向の下方においてロータの動翼との隙間である下部クリアランスが大きく変化する事態を抑制することができる。これとともに、内側ケーシングの鉛直方向の上方においてロータの動翼との隙間である上部クリアランスも大きく変化する事態を抑制することができる。この結果、起動開始時において内側ケーシングと動翼とのクリアランスを適した状態で確保することができる。
【図面の簡単な説明】
【００１６】
【図１】図１は、本発明の実施形態に係る回転機械の径方向断面図である。
【図２】図２は、本発明の実施形態に係る回転機械の他の例の径方向断面図である。
【発明を実施するための形態】
【００１７】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１８】
図１は、本実施形態に係る回転機械の径方向断面図である。
【００１９】
図１は、回転機械である蒸気タービン１を示している。蒸気タービン１は、ロータ２と、内側ケーシング３と、外側ケーシング４と、を備える。
【００２０】
ロータ２は、回転軸Ｒに沿って長手状（図１中の奥行方向）に延在して形成されている。ロータ２は、その延在方向の一方側と他方側とがそれぞれ軸受（図示省略）により支持されて、回転軸Ｒを中心に回転可能に設けられている。また、ロータ２は、軸受がコンクリート製のタービンフロアに対して支持部材により支持されることで、回転軸Ｒが水平となるようにタービンフロアに支持されている。ロータ２は、図１に示すように、その表面から回転方向に沿って動翼５が複数延出して設けられていると共に、回転軸Ｒに沿う延在方向に動翼５が所定間隔をおいて複数設けられている。
【００２１】
ここで、ロータ２の延在方向である回転軸Ｒに沿う方向（図１中の奥行方向）を軸方向という。また、回転軸Ｒに対して鉛直に交差する方向を鉛直方向という。また、回転軸Ｒに対して水平方向で直交する方向を水平方向といい、当該水平方向に沿う平面を水平面Ｈという。また、回転軸Ｒを中心としてロータ２が回転する方向を周方向という。
【００２２】
内側ケーシング３は、図１に示すように、ロータ２の動翼５の周りを囲むように設けられている。内側ケーシング３は、図１に示すように、上下で半分円に分割形成され、その上半部３Ａと下半部３Ｂとが、平坦に形成された相互の接合面３Ａａ，３Ｂａを合わせて接合されることで円筒形状に形成される。上半部３Ａと下半部３Ｂとは、ボルト３Ｃにより接合される。内側ケーシング３は、その内壁面にロータ２の回転方向に沿って静翼（図示省略）が複数固定されていると共に、回転軸Ｒに沿う延在方向に静翼が動翼５と交互に配置されるように所定間隔をおいて複数設けられている。この内側ケーシング３は、外側ケーシング４に支持されている。内側ケーシング３が外側ケーシング４に支持される具体的な構成は後述する。
【００２３】
外側ケーシング４は、図１に示すように、内側ケーシング３の周りを囲むように設けられている。外側ケーシング４は、図１に示すように、上下で半分円に分割形成され、その上半部４Ａと下半部４Ｂとが、平坦に形成された相互の接合面４Ａａ，４Ｂａを合わせて接合されることで円筒形状に形成される。上半部４Ａと下半部４Ｂとは、各接合面４Ａａ，４Ｂａに連続して径方向外側に延出して形成されたフランジ４Ｄ，４Ｄがボルト４Ｃにより接合される。外側ケーシング４は、ロータ２とは別にコンクリート製のタービンフロアに対して支持部材により支持されている。外側ケーシング４のタービンフロアに対する支持においては、図１に示すように、上半部４Ａと下半部４Ｂとの相互の接合面４Ａａ，４Ｂａが水平面Ｈに沿うように調整される。すなわち、外側ケーシング４は、上半部４Ａと下半部４Ｂとの相互の接合面４Ａａ，４Ｂａがロータ２の回転軸Ｒに対して水平面Ｈ上で一致するように支持される。
【００２４】
内側ケーシング３の内部は、ロータ２との間で静翼が動翼５と交互に配置された流路１０が形成されている。流路１０は、軸方向であるロータ２の延在方向の一方側（前側ともいう）から他方側（後側ともいう）に向かって、静翼および動翼５が徐々に径方向に大きく形成されて徐々に拡大して形成されている。また、流路１０の一方側（前側）の端部には、入口部が形成され、流路１０の他方側（後側）の端部には、出口部が形成されている。そして、蒸気タービン１の稼働時には、高温高圧の蒸気が入口部から流路１０に導入されて複数の動翼５および複数の静翼間を膨張しつつ通過する。すると、この蒸気により動翼５が駆動されてロータ２が回転する。これにより、蒸気の熱エネルギーがロータ２の回転エネルギーに変換されて動力が発生する。複数の動翼５および複数の静翼間を通過した蒸気は、出口部から回収ライン（図示省略）に還元される。
【００２５】
以下、内側ケーシング３の支持構造について説明する。内側ケーシング３は、ロータ２とは別に外側ケーシング４に対して支持されている。図１に示すように、外側ケーシング４は、その下半部４Ｂの接合面４Ｂａの上に、支持台２１がボルト２１Ｃにより固定されている。支持台２１は、外側ケーシング４の上半部４Ａの接合面４Ａａの一部が切り欠かれることにより、下半部４Ｂの接合面４Ｂａの上に配置され、外側ケーシング４の内側に突出して設けられている。従って、支持台２１の上面は、下半部４Ｂの接合面４Ｂａよりも上方であって、水平面Ｈよりも上方の位置に配置される。内側ケーシング３は、この支持台２１の上面を支持面２１Ａとして載置され支持される。すなわち、内側ケーシング３は、水平面Ｈよりも上方の位置を基準にして支持される。
【００２６】
内側ケーシング３は、上述したように、上下で半分円に分割形成され、その上半部３Ａと下半部３Ｂとが平坦に形成された相互の接合面４Ａａ，４Ｂａを合わせて接合されることで円筒形状に形成されている。内側ケーシング３の下半部３Ｂは、その外側に支持サポート２２がボルト２２Ｃにより固定されている。支持サポート２２は、内側ケーシング３の下半部３Ｂに固定される固定部２２Ａと、支持台２１の支持面２１Ａに載置される載置部２２Ｂとを有する。固定部２２Ａは、鉛直方向に延在して形成されており、内側ケーシング３の下半部３Ｂに固定された部分から接合面４Ｂａ（４Ａａ）を超えて鉛直方向の上方に延在して設けられる。載置部２２Ｂは、固定部２２Ａが接合面４Ｂａ（４Ａａ）を超えて鉛直方向の上方に延在した上端部に設けられて内側ケーシング３より水平方向の外側に突出して形成されている。載置部２２Ｂは、固定部２２Ａから突出した下面が支持台２１の支持面２１Ａにボルトなどを用いることなく掛け止められることで載置される。
【００２７】
これら支持台２１および支持サポート２２は、内側ケーシング３の水平方向の両側に設けられ、かつ軸方向においてロータ２の延在する軸方向の一方側と他方側とにそれぞれ設けられて計４箇所に設けられている。従って、内側ケーシング３は、水平方向の両側の２箇所および軸方向の２箇所の計４箇所で外側ケーシング４に支持されている。内側ケーシング３の外側ケーシング４に対する支持においては、図１に示すように、上半部３Ａと下半部３Ｂとの相互の接合面３Ａａ，３Ｂａが水平面Ｈに沿うように調整される。すなわち、内側ケーシング３は、上半部３Ａと下半部３Ｂとの相互の接合面３Ａａ，３Ｂａがロータ２の回転軸Ｒに対して水平面Ｈ上で一致するように支持される。さらに、内側ケーシング３は、上半部３Ａと下半部３Ｂとの相互の接合面３Ａａ，３Ｂａよりも上方の位置であって水平面Ｈよりも上方の位置で、支持サポート２２を介して支持台２１に対して載置されて支持されている。
【００２８】
また、内側ケーシング３は、その上半部３Ａおよび下半部３Ｂが、外側ケーシング４に対して軸方向への移動を規制されている。内側ケーシング３の上半部３Ａおよび下半部３Ｂは、鉛直方向の外側に延在する軸方向サポート（図示省略）が設けられている。軸方向サポートは、外側ケーシング４の内側に形成された軸方向キー（図示省略）に軸方向への移動が規制されつつ、周方向への移動が許容されて係合されている。これら、軸方向サポートおよび軸方向キーは、流路１０に入口部が形成されたロータ２の延在方向の一方側（前側）に設けられている。なお、ロータ２の延在する一方側の支持台２１および支持サポート２２は、軸方向サポートおよび軸方向キーと軸方向において同様の位置に配置されている。これら軸方向サポートおよび軸方向キーを軸方向規制部という。
【００２９】
また、内側ケーシング３は、図１に示すように、その上半部３Ａおよび下半部３Ｂが、外側ケーシング４に対して周方向への移動を規制されている。内側ケーシング３の上半部３Ａおよび下半部３Ｂは、鉛直方向の外側に延在する周方向サポート２５が設けられている。周方向サポート２５は、外側ケーシング４の内側に形成された周方向キー２６に周方向への移動が規制されつつ、軸方向への移動が許容されて係合されている。これら、周方向サポート２５および周方向キー２６は、流路１０に出口部が形成されたロータ２の延在方向の他方側（後側）に設けられている。なお、ロータ２の延在する他方側の支持台２１および支持サポート２２は、周方向サポート２５および周方向キー２６と軸方向において同様の位置に配置されている。これら周方向サポート２５および周方向キー２６を周方向規制部という。
【００３０】
このように、内側ケーシング３は、外側ケーシング４に対して水平面Ｈよりも上方の位置で支持され、かつ上半部３Ａと下半部３Ｂとの相互の接合面３Ａａ，３Ｂａがロータ２の回転軸Ｒに対して水平面Ｈ上で一致するように支持されている。さらに、内側ケーシング３は、外側ケーシング４に対して軸方向および周方向の移動を規制して支持されている。
【００３１】
このような蒸気タービン１において、起動開始時に入口部から流路１０に高温高圧の蒸気が供給されると、流路１０を構成する内側ケーシング３は、高温高圧の蒸気にさらされて温度が上昇する。一方、起動開始時において外側ケーシング４は、その外側が外気と同等の温度であることから、温度上昇は内側ケーシング３ほど高くはない。このため、起動開始時は、内側ケーシング３と外側ケーシング４とに温度差が生じ、この温度差が相互の熱伸び差として作用する。ここで、内側ケーシング３にかかる熱は、下半部３Ｂに固定された支持サポート２２に伝わり、支持サポート２２は、下半部３Ｂに固定されたボルト２２Ｃを基点として鉛直方向に熱伸びする。支持サポート２２の上端部に設けられた載置部２２Ｂが支持台２１の支持面２１Ａに掛け止められている。このため、支持サポート２２は、支持台２１の支持面２１Ａを基点として鉛直方向の下方に熱伸びすることから、内側ケーシング３は、外側ケーシング４に対して相対的に鉛直方向の下方に移動する。
【００３２】
一方、支持台２１の支持面２１Ａは、水平面Ｈであって、ロータ２の回転軸Ｒや、外側ケーシング４における上半部４Ａおよび下半部４Ｂの接合面４Ａａ，４Ｂａよりも鉛直方向の上方の位置にあることから、内側ケーシング３は、水平面Ｈよりも鉛直方向の上方の位置で支持されている。このため、内側ケーシング３は、水平面Ｈよりも鉛直方向の上方の位置で支持されている分の移動代が大きく、外側ケーシング４に対して相対的に鉛直方向の下方に移動する移動量が少なくなるように抑制される。このため、内側ケーシング３の鉛直方向の下方においてロータ２の動翼５との隙間である下部クリアランス（図１中のＵＣ）が大きく変化する事態を抑制することができる。これとともに、内側ケーシング３の鉛直方向の上方においてロータ２の動翼５との隙間である上部クリアランス（図１中のＯＣ）も大きく変化する事態を抑制することができる。この結果、起動開始時において内側ケーシング３と動翼５とのクリアランスを適した状態で確保することができる。
【００３３】
ここで、例えば、内側ケーシング３の下半部３Ｂが、水平面Ｈよりも鉛直方向の下方の位置で外側ケーシング４に支持されている場合、起動開始時における熱伸び差により、内側ケーシング３は、外側ケーシング４に対して相対的に鉛直方向の上方に移動することになる。このため、内側ケーシング３の鉛直方向の下方においてロータ２の動翼５との下部クリアランスが狭くなると共に、内側ケーシング３の鉛直方向の上方においてロータ２の動翼５との上部クリアランスが広くなってしまい、下部クリアランス側では、内側ケーシング３と動翼５との接触が懸念され、上部クリアランス側では内側ケーシング３と動翼５との間で蒸気が通過して効率低下が懸念される。また、例えば、内側ケーシング３の下半部３Ｂが、水平面Ｈの位置で外側ケーシング４に支持されている場合、起動開始時において下部クリアランスおよび上部クリアランスは、内側ケーシング３が水平面Ｈよりも鉛直方向の下方の位置で外側ケーシング４に支持されている場合と比較して大きく変化しない。しかし、内側ケーシング３の下半部３Ｂにおいて内側ケーシング３と動翼５との下部クリアランスが狭くなり易い場合では、下部クリアランス側で内側ケーシング３と動翼５との接触が懸念される課題は解消できない。この点、本実施形態では、内側ケーシング３は、水平面Ｈよりも鉛直方向の上方の位置で支持されているため、内側ケーシング３の下半部３Ｂにおいて内側ケーシング３と動翼５との下部クリアランスが狭くなり易い場合であっても下部クリアランス側で内側ケーシング３と動翼５との接触が懸念される課題を解消することができる。
【００３４】
このように、本実施形態の蒸気タービン１は、ロータ２の回転軸Ｒを通過する水平面Ｈよりも上方の位置で外側ケーシング４側において上方に向けて形成された支持面２１Ａを有する支持台２１と、内側ケーシング３側に設けられて支持台２１の支持面２１Ａに載置された形態で内側ケーシング３を外側ケーシング４に支持させる支持サポート２２と、を備えることで、起動開始時において内側ケーシング３と動翼５とのクリアランスを適した状態で確保することができる。
【００３５】
また、本実施形態の蒸気タービン１では、支持台２１は、上下で半分に分割形成された外側ケーシング４の下半部４Ｂに設けられており、支持サポート２２は、上下で半分に分割形成された内側ケーシング３の下半部３Ｂに設けられていることが好ましい。
【００３６】
本実施形態の蒸気タービン１は、組み立て時に、外側ケーシング４の下半部４Ｂの内部に内側ケーシング３の下半部３Ｂを挿入して支持させ、その後、内側ケーシング３の下半部３Ｂの内部にロータ２を配置してから、内側ケーシング３の上半部３Ａを下半部３Ｂに接合し、さらにその後、外側ケーシング４の上半部４Ａを下半部４Ｂに接合する。このため、最初に外側ケーシング４の下半部４Ｂに内側ケーシング３の下半部３Ｂを支持させなければならないことから、外側ケーシング４の下半部４Ｂに支持台２１を設けると共に、内側ケーシング３の下半部３Ｂに支持サポート２２を設けている。
【００３７】
また、本実施形態の蒸気タービン１では、支持台２１は、外側ケーシング４に対して別部材で形成されており、支持サポート２２は、内側ケーシング３に対して別部材で形成されていることが好ましい。
【００３８】
外側ケーシング４が上下で半分に上半部４Ａと下半部４Ｂとに分割形成されている場合、これらの接合を容易に行うために接合面４Ａａ，４Ｂａは平坦に平面加工されていることが好ましく、そして、支持台２１は、外側ケーシング４の下半部４Ｂの接合面４Ｂａに別部材で設けることが、加工性がよく好ましい。同様に、内側ケーシング３が上下で半分に上半部３Ａと下半部３Ｂとに分割形成されている場合、これらの接合を容易に行うために接合面３Ａａ，３Ｂａは平坦に平面加工されていることが好ましく、そして、支持サポート２２は、内側ケーシング３の接合面３Ａａ，３Ｂａとは別部材で設けることが、加工性がよく好ましい。
【００３９】
また、本実施形態の蒸気タービン１では、外側ケーシング４は、上下で半分に分割形成された上半部４Ａおよび下半部４Ｂにおいて外側に延在する各フランジ４Ｄを介して分割された上下が接合されており、支持台２１の支持面２１Ａは、水平面Ｈよりも上方の位置であって外側ケーシング４の上半部４Ａのフランジ４Ｄの上端以下の位置までの範囲に設置されていることが好ましい。
【００４０】
外側ケーシング４の上半部４Ａの一部を切り欠いて支持台２１を外側ケーシング４の下半部４Ｂに設ける場合、強度が担保されている上半部のフランジ４Ｄの上下の範囲内に支持台２１を設ける領域を形成することが、外側ケーシング４の強度を確保するうえで好ましい。
【００４１】
本実施形態の蒸気タービン１では、ロータ２の延在方向の一方側（前側）にて外側ケーシング４に対して内側ケーシング３の軸方向への移動を規制する軸方向規制部（軸方向サポートおよび軸方向キー）と、ロータ２の延在方向の他方側（後側）にて外側ケーシング４に対して内側ケーシング３の周方向への移動を規制する周方向規制部（周方向サポート２５および周方向キー２６）と、が設けられている。そして、本実施形態の蒸気タービン１は、支持台２１および支持サポート２２が、ロータ２の延在方向の一方側（前側）と他方側（後側）にそれぞれ配置され、図２に示すように、ロータ２の延在方向の他方側（後側）の支持台２１の支持面２１Ａが水平面Ｈに対して軸方向に向けて傾斜して形成されていることが好ましい（図２では、支持面２１Ａの傾斜した面が紙面手前側に向いた形態として示している。）。すなわち、支持台２１は、支持面２１Ａが水平面Ｈに対して軸方向に向けて傾斜し、当該傾斜した支持面２１Ａ上で支持サポート２２を介して内側ケーシング３を外側ケーシング４に対して支持するテーパキーとして形成されている。
【００４２】
軸方向規制部（軸方向サポートおよび軸方向キー）によりロータ２の延在方向の一方側（前側）にて外側ケーシング４に対して内側ケーシング３の軸方向への移動を規制することで、内側ケーシング３が軸方向に熱伸びしても、軸方向規制部を基準とした熱伸びとして他部材との取り合いを確保することができる。また、周方向規制部（周方向サポート２５および周方向キー２６）によりロータ２の延在方向の他方側（後側）にて外側ケーシング４に対して内側ケーシング３の周方向への移動を規制することで、内側ケーシング３が周方向に移動しないように位置を保持することができる。このような構成において、例えば、内側ケーシング３の下方が上方に比較して高熱となり軸方向の熱伸びが大きい場合、内側ケーシング３は、ロータ２の延在方向の一方側（前側）の軸方向規制部に規制されつつロータ２の延在方向の他方側（後側）が上方に持ち上がるように傾き、これにより周方向規制部（周方向サポート２５および周方向キー２６）が噛み込んで干渉するおそれがある。逆に、例えば、内側ケーシング３の上方が下方に比較して高熱となり軸方向の熱伸びが大きい場合、内側ケーシング３は、ロータ２の延在方向の一方側（前側）の軸方向規制部に規制されつつロータ２の延在方向の他方側（後側）が下方に落ち込むように傾き、これにより周方向規制部（周方向サポート２５および周方向キー２６）が噛み込んで干渉するおそれがある。
【００４３】
この点、本実施形態の蒸気タービン１では、支持台２１および支持サポート２２が、ロータ２の延在方向の一方側（前側）と他方側（後側）にそれぞれ配置され、図３に示すように、ロータ２の延在方向の他方側（後側）の支持台２１の支持面２１Ａが水平面Ｈに対して軸方向に向けて傾斜して支持台２１がテーパキーとして形成されていることから、いずれかの傾きが生じ易い場合に応じて、ロータ２の延在方向の他方側（後側）の支持台２１の支持面２１Ａを水平面Ｈに対して軸方向に向けて傾斜して形成することで、内側ケーシング３のロータ２の延在方向の他方側（後側）が上方に持ち上がったり、下方に落ち込んだりする事象を抑制することができ、周方向規制部（周方向サポート２５および周方向キー２６）の噛み込みを防止することができる。
【符号の説明】
【００４４】
１  蒸気タービン（回転機械）
２  ロータ
３  内側ケーシング
３Ａ  上半部
３Ａａ  接合面
３Ｂ  下半部
３Ｂａ  接合面
３Ｃ  ボルト
４  外側ケーシング
４Ａ  上半部
４Ａａ  接合面
４Ｂ  下半部
４Ｂａ  接合面
４Ｃ  ボルト
４Ｄ  フランジ
５  動翼
１０  流路
２１  支持台
２１Ａ  支持面
２１Ｃ  ボルト
２２  支持サポート
２２Ａ  固定部
２２Ｂ  載置部
２２Ｃ  ボルト
２５  周方向サポート（周方向規制部）
２６  周方向キー（周方向規制部）
Ｈ  水平面
Ｒ  回転軸
【図１】
2018159301.tif 000003
【図２】
2018159301.tif 000004